(57)【特許請求の範囲】
【請求項１】
表示手段を備え、流体流入ポートを通じて取り込んだ流体の物理量を検知又は測定して前記表示手段により表示する流体物理量検知又は測定装置において、
前記表示手段を備えた装置本体と、
該装置本体に設けられ、電源ケーブルの先端に取り付けられたコネクタを受け入れるコネクタ接続口と、
前記流体流入ポートを備え、前記装置本体に離脱可能に連結される実質的にＬ字状のポート部材とを有し、
該ポート部材の所定の角度位置で前記装置本体に係脱可能に取り付け可能であり、該所定の角度位置以外では、前記装置本体から離脱不能の状態を維持しつつ該装置本体に対して回転可能であり、
前記所定の角度位置が、前記Ｌ字状のポート部材が前記コネクタと干渉する角度位置に設定されていることを特徴とする流体物理量検知又は測定装置。
【請求項２】
表示手段を備え、流体流入ポートを通じて取り込んだ流体の物理量を検知又は測定して前記表示手段により表示する流体物理量検知又は測定装置において、
前記表示手段を備えた装置本体と、
該装置本体に設けられ、電源ケーブルの先端に取り付けられたコネクタを受け入れるコネクタ接続口と、
前記装置本体から突出し、その中央に流体取り込み口を備えた突出部分と、
該突出部分の先端に形成された異形フランジと、
前記流体流入ポートを備え、実質的にＬ字状のポート部材と、
該ポート部材の基端に形成された取付口と、
該取付口に形成され、前記異形フランジを所定の角度位置で抜差し可能に受け入れることができ且つ該所定角度位置以外の領域では、前記異形フランジと協働して、前記ポート部材を前記装置本体の前記突出部分に離脱不能に連結しつつ相対回転可能に連結する連結機構とを有し、
前記所定の角度位置が、前記Ｌ字状のポート部材が前記コネクタと干渉する角度位置に設定されていることを特徴とする流体物理量検知又は測定装置。
【請求項３】
前記Ｌ字状のポート部材が、前記装置本体の背面から鉛直方向に延びる第１部分に形成された第１の流体流入ポートと、該第１部分と直角に交わる第２部分に形成された第２流体流入ポートとを有する請求項１又は２に記載の流体物理量検知又は測定装置。
【請求項４】
前記ポート部材が前記装置本体に対して相対回転可能な領域を前記コネクタと干渉しない角度領域に制限するためのロック手段を更に有する請求項３に記載の流体物理量検知又は測定装置。
【請求項５】
前記ポート部材の回転位置を所定の回転角度ピッチで間欠的に位置決めする位置決め手段を更に有する請求項４に記載の流体物理量検知又は測定装置。
【請求項６】
前記位置決め手段が、前記ポート部材に形成され且つ周方向に等間隔に配置された複数の窪みと、前記装置本体の背面に配設され且つ前記窪みと係合するバネ部材とで構成され、
該バネ部材が、前記ポート部材に向けて湾曲した形状を有する帯状部分と、該帯状部分の両端に取付けられた端末部材とを有し、
該端末部材には、片持ち形状のロック部分が形成されて、前記所定の角度位置以外の前記ポート部材の回動領域が前記ロック部分と前記Ｌ字状のポート部材とが係合することにより規定され、前記片持ち形状のロック部分を押し下げて前記Ｌ字状のポート部材の係合を解除することで該Ｌ字状のポート部材を前記装置本体から離脱可能な前記所定の角度位置まで前記ポート部材を回動させることができる請求項５に記載の流体物理量検知又は測定装置。
【発明の詳細な説明】
【０００１】
【発明の属する技術分野】
この発明は、流体流入ポートを通じて取り込んだ気体又は液体の物理量を検知又は測定する流体物理量検知又は測定装置に関する。
【０００２】
【従来の技術】
気体又は液体の物理量を検知又は測定する装置として、圧力計、圧力センサ、温度計、計量計などが知られている。これらは一般的に表示手段を備え、この表示手段によって、流体流入ポートから取り込んだ流体の温度、圧力、体積などの物理量を表示する機能を有している。
【０００３】
【発明が解決しようとする課題】
しかしながら、従来の流体物理量検知又は測定装置は、流体流入ポートの向きが固定されているため、これを設置すべき配管の延び方向によって、この装置の表示手段の向きが決まってしまい、表示手段の向きを自在に変更することができないという問題があった。
【０００４】
この問題を解決するために、互いに直交する２つの流体流入ポートを備えた流体物理量検知又は測定装置が提案されている。この２ポート式装置は、ユーザが任意の一方のポートを選択し、他方のポートを盲栓によって密閉することで、流体物理量検知又は測定装置の表示手段の向きを９０度変えることができるものの、表示手段の向きを自在に変更することができない。
【０００５】
これとは別に、自在に屈曲可能な可撓管又は９０度屈曲したエルボーを別途用意することが提案されている。これによれば、この可撓管又はエルボーを介して流体物理量検知又は測定装置を配管に接続することで、装置の表示手段の向きを自在に変更することができるが、別途、可撓管やエルボーを接続することから、装置の取り付けに手間を要し、また、流体物理量検知又は測定装置が占める実質的な占有体積が大きくなってしまうという問題がある。
【０００６】
そこで、本発明の目的は、大型化することなく、表示手段の向きを自在に変更することのできる流体物理量検知又は測定装置を提供することにある。
【０００７】
【課題を解決するための手段】
かかる技術的課題は、本発明の一つの観点によれば、
表示手段を備え、流体流入ポートを通じて取り込んだ流体の物理量を検知又は測定して前記表示手段により表示する流体物理量検知又は測定装置において、
前記表示手段を備えた装置本体と、
該装置本体に設けられ、電源ケーブルの先端に取り付けられたコネクタを受け入れるコネクタ接続口と、
前記流体流入ポートを備え、前記装置本体に離脱可能に連結される実質的にＬ字状のポート部材とを有し、
該ポート部材の所定の角度位置で前記装置本体に係脱可能に取り付け可能であり、該所定の角度位置以外では、前記装置本体から離脱不能の状態を維持しつつ該装置本体に対して回転可能であり、
前記所定の角度位置が、前記Ｌ字状のポート部材が前記コネクタと干渉する角度位置に設定されていることを特徴とする流体物理量検知又は測定装置を提供することにより達成される。
【０００８】
本発明の他の観点によれば、技術的課題は、
表示手段を備え、流体流入ポートを通じて取り込んだ流体の物理量を検知又は測定して前記表示手段により表示する流体物理量検知又は測定装置において、
前記表示手段を備えた装置本体と、
該装置本体に設けられ、電源ケーブルの先端に取り付けられたコネクタを受け入れるコネクタ接続口と、
前記装置本体から突出し、その中央に流体取り込み口を備えた突出部分と、
該突出部分の先端に形成された異形フランジと、
前記流体流入ポートを備え、実質的にＬ字状のポート部材と、
該ポート部材の基端に形成された取付口と、
該取付口に形成され、前記異形フランジを所定の角度位置で抜差し可能に受け入れることができ且つ該所定角度位置以外の領域では、前記異形フランジと協働して、前記ポート部材を前記装置本体の前記突出部分に離脱不能に連結しつつ相対回転可能に連結する連結機構とを有し、
前記所定の角度位置が、前記Ｌ字状のポート部材が前記コネクタと干渉する角度位置に設定されていることを特徴とする流体物理量検知又は測定装置を提供することにより達成される。
【０００９】
本発明の上記目的及び他の目的並びにその作用効果は、以下の本発明の好ましい実施の形態の説明から明らかになろう。
【００１０】
【発明の実施の形態】
以下に、本発明の好ましい実施の形態を添付の図面に基づいて説明する。図１は、本発明の実施の形態の圧力センサ又は温度センサを斜め前方から見た斜視図である。このセンサ１は、矩形形状の前面に、複数桁の７セグメントＬＥＤからなる数値表示手段２を有し、検出した圧力や温度などを表示すると共にしきい値と対比してその大小を判別する。センサ１の複数の機能は、ユーザが操作ボタン３〜６を操作することにより使い分けることができる。
【００１１】
図２〜図４は、センサ１を斜め後方から見た図である。センサ１の背面には、その上端部に、電源ケーブルの端に設けられたコネクタ１０（図４）を受け入れるための横方向に細長い矩形の接続口１１が形成され、この接続口１１の下方領域にポート部材１２が取り付けられている。
【００１２】
ポート部材１２は、センサ本体１３の軸線に沿って延びる、つまりセンサ本体１３の背面に対して鉛直方向に真っ直ぐに延びる第１部分１４と、この第１部分１４と直角に交わる第２部分つまりエルボー部分１５とからなる全体として直角に屈曲した形状を有し、第１部分１４の端面には第１の流体流入ポート１６が形成され、第２部分つまりエルボー部分１５の端面には第２の流体流入ポート１７が形成されている。第１又は第２のポート１６、１７は、ユーザによって、その何れを使用するかが選択されて図外の配管に接続され、選択されなかったポートは盲栓によって閉塞される。
【００１３】
ポート部材１２は、センサ本体１３に対面する側つまり基端に、ポート部材１２のセンサ本体１３に対する取付部分２０を有し、該取付部分２０は、径方向外方に膨出した略半球形状を有する。図５は、ポート部材１２をセンサ本体１３側から見た正面図である。
【００１４】
ポート部材１２は、後の説明から明らかになるように、センサ本体１３に対して所定の角度位置で抜差し可能に受け入れて互いに連結され、該所定の角度位置以外の領域では、センサ本体１３から離脱不能な状態で相対回転が許容される。
【００１５】
ポート部材１２の取付部分２０の端面２１には、図５から理解できるように、外周部分に、周方向に等間隔に配置された複数の窪み２２が形成され、窪み２２は、滑らかに湾曲した断面を有している（図６）。この窪み２２は後の説明から明らかになるように、ポート部材１２の所定の回転角度で間欠的に位置決めする手段の一つの構成要素である。
【００１６】
ポート部材１２の端面２１には、その中心に、取付口２４を有し、この取付口２４と窪み２２との間に、第１の円筒形突条２５が形成されている。取付口２４の詳細は後に説明する。
【００１７】
センサ本体１３の背面には、その中央部分に、軸線方向外方に突出する突出部分３０と、この突出部分３０の中心に開口する円形の流体取り込み口３１が形成されている。センサ本体１３の突出部分３１は、その先端に、図７から理解できるように、異形フランジ３２が形成されている。
【００１８】
この異形フランジ３２は、周方向に間隔を隔てた比較的大きな第１の切欠き部分３３と、比較的小さな第２の切欠き部分３４とによって、周方向に離間した比較的大きな第１の円弧状フランジ部分３５と、比較的小さな第２の円弧状フランジ部分３６とが形成されている。
【００１９】
上述したポート部材１２の取付口２４には、異形フランジ３２を所定の角度位置で抜差し可能に受け入れることができ、この所定角度以外では、異形フランジ３２と協働して、ポート部材１２をセンサ本体１３から取外し不能に且つ相対回転可能に連結する連結機構が形成されている。
【００２０】
すなわち、ポート部材１２の取付口２４には、異形フランジ３２に対応して、図５から理解できるように、周方向に離間し且つ径方向内方に突出した比較的小さな第１の突出部分４０と、比較的大きな第２の突出部分４１とが形成され、この第１、第２の突出部分４０、４１間に、上述した異形フランジ３２の第１の円弧状フランジ部分３５に対応してこれを受け入れることができる第１の凹所４２と、第２の円弧状フランジ部分３６に対応してこれを受け入れることのできる第２の凹所４３とが形成されている。
【００２１】
ポート部材１２とセンサ本体１３とは、ポート部材１２の取付口２４の第１、第２の凹所４２、４３と、センサ本体１３の第１、第２の円弧状フランジ部分３５、３６とを一致させた状態で互いに嵌入させた後に、ポート部材１２を回転させることで互いに連結させることができる。また、ポート部材１２を回転させて、ポート部材１２の第１、第２の凹所４２、４３と、センサ本体１３の第１、第２の円弧状フランジ部分３５、３６とを一致した状態にすることで、ポート部材１２をセンサ本体１３から取り外すことができる。図８は、ポート部材１２をセンサ本体１３に組み付けた状態の断面図である。同図の参照符号４５はＯリングである。
【００２２】
センサ本体１３の背面には、互いに離間した２つの穴５０（図７）を有し、この２つの穴５０、５０を用いてバネ部材５１が取り付けられる。すなわち、バネ部材５１は、図９に示すように、中央部分を外方に湾曲した形状を有する帯状部分５２と、この帯状部分５２の両端に取付られた端末部分５３とを有し、この端末部分５３にピン５４が形成されている。バネ部材５１は、ピン５４をセンサ本体１３の対応する穴５０に嵌入することによりセンサ本体１３に固定される。
【００２３】
バネ部材５１は、その端末部分５３の各々に片持ち形状のロック部分５５が形成され、このロック部分５５は、その先端部に、端に向かうに従って外方に突出するテーパ状突起５６を有する。
【００２４】
上述したバネ部材５１の外方つまりポート部材１２側に向けて突出する湾曲形状の帯状部分５２は、ポート部材１２の窪み２２（図５）と係合することにより、ポート部材１２の回転位置を位置決めする。また、ロック部材５５のテーパ状突起５６は、図３、図４から理解できるように、ポート部材１２のエルボー部分１５の側面の段部１５ａと係合することにより、ポート部材１２の回転角度範囲を１８０度に規制するポート回転規制手段を構成する。
【００２５】
センサ本体１３の背面の異形フランジ３２を用いたポート部材１２の連結は、ポート部材１２が所定の角度位置でセンサ本体１３と結合又は離脱することを許容し、それ以外の角度位置ではセンサ本体１３から離脱不能を約束するものである。
【００２６】
このセンサ本体１３と結合又は離脱することを許容するポート部材１２の角度位置は、異形フランジ３２の第１、第２の円弧状フランジ部分３５、３６の角度位置の設定及び／又はポート部材１２の第１、第２の凹所４２、４３によって任意に決めることができるが、ポート部材１２の第２の部分１５がコネクタ１０と干渉する位置にあるときに、ポート部材１２が所定の角度位置でセンサ本体１３と結合又は離脱することを許容するようにするのが好ましい。
【００２７】
以上の構成によれば、センサ本体１３の接続口１１にコネクタ１０を挿入する前に又はコネクタ１０を取り外した状態で、第２の部分１５が起立した状態でポート部材１２をセンサ本体１３に連結することができる。例えば図３を参照して説明すると、次いで、ポート部材１２を左方向（反時計方向）に回転させると、第２の部分１５の側壁が左側のロック部材５５のテーパ状突起５６を押し付けて片持ちのロック部材５５を押し付けてこのロック部材５５をセンサ本体１３側に変位させる。
【００２８】
更に、ポート部材１２を左方向（反時計方向）に回転させて第２の部分１５が左方向に真横になると、第２の部分１５の側壁とロック部材５５との係合が解除され、ロック部材５５は弾性復帰して図３に図示の状態となる。これにより、ポート部材１２は、左側のロック部材５５のテーパ状突起５６によって時計方向への回転が規制される。同じように、ポート部材１２が図４のように右方向に真横になった状態では、右側のロック部材５５のテーパ状突起５６によって反時計方向の回転が規制される。つまり、ポート部材１２の第２の部分１５が起立してコネクタ１０と干渉してしまう約１８０度の領域は、事実上、接続すべき配管が通過することのできない無効領域である。
【００２９】
つまり、ポート部材１２は、第２の部分１５が左側のロック部材５５と係合する位置から反時計方向に１８０度回転して右側のロック部材５５と係合する位置までの領域で回転自在であり、この領域は、接続すべき配管が通過可能な有効領域である。そして、このポート部材１２の回転可動域では、バネ部材５１（湾曲形状の帯状部分５２）とポート部材１２の窪み２２（図５）との係合により、所定の回転角度ピッチで間欠的に、その角度位置が位置決めされる。図２は、ポート部材１２の第２の部分１５を下方に向けた状態で位置決めされている。図３は、ポート部材１２の第２の部分１５を左側に真横に向けた状態で位置決めされている。図４は、ポート部材１２の第２の部分１５を右側に真横に向けた状態で位置決めされている。
【００３０】
ポート部材１２をセンサ本体１３から取り外すときには、先ず、コネクタ１０を取り外し、次いで、例えば、図３の状態から左側のロック部材５６を人為的に押し下げて、ポート部材１２の第２の部分１５を時計回りに回転させて、この第２の部分１５を起立状態にさせることで、異形フランジ３２の第１、第２の円弧状フランジ部分３５、３６とポート部材１２の第１、第２の凹所４２、４３とを一致させるようにすればよい。これにより、ポート部材１２は、センサ本体１３から取り外すことができる。
【００３１】
以上、本発明の好ましい実施の形態を説明したが、本発明のこれに限定されることなく、例えば、ポート部材１２が、第１の流体流入ポート１６を具備せず第２の流体流入ポート１７だけを備えた実質的にＬ字状の形態のものであってもよい。
【００３２】
また、ポート部材１２をセンサ本体１３の背面で連結するようにしたが、これをセンサ本体１３の側面や上面又は下面で連結するようにしてもよい。
【図面の簡単な説明】
【図１】本発明が適用された圧力又は温度センサを斜め前方から見た斜視図である。
【図２】図１の圧力又は温度センサを斜め後方から見た斜視図であり、ポート部材が真下に向けた位置で位置決めされている状態を示す図である。
【図３】図１の圧力又は温度センサを斜め後方の別の角度から見た斜視図であり、ポート部材が左側に真横に向けた位置で位置決めされている状態を示す図である。
【図４】図１の圧力又は温度センサを斜め後方から見た斜視図であり、ポート部材が右側に真横に向けた位置で位置決めされている状態を示す図である。
【図５】ポート部材の基端面の正面図である。
【図６】図５のVI−VI線に沿った断面図である。
【図７】センサ本体の背面図である。
【図８】センサ本体とポート部材との接続構造を説明するための断面図である。
【図９】ポート部材を間欠な回転させるためのバネ部品の斜視図である。
【符号の説明】
１      圧力又は温度センサ
２      数値表示手段
１０      コネクタ
１１      コネクタ接続口
１２      ポート部材
１３      センサ本体
２４      ポート部材の取付口
３２      異形フランジ
５１      バネ部材
５５      ロック部材
【図１】
0004041333.tif 000002
【図２】
0004041333.tif 000003
【図３】
0004041333.tif 000004
【図４】
0004041333.tif 000005
【図５】
0004041333.tif 000006
【図６】
0004041333.tif 000007
【図７】
0004041333.tif 000008
【図８】
0004041333.tif 000009
【図９】
0004041333.tif 000010